(57)【特許請求の範囲】
【請求項１】
映像データや音声データを記録する場合には、複数の記録手段に映像データや音声データを分配して記録すると共に、上記複数の記録手段に記録されたデータを再生する場合には、上記複数の記録手段から読み出されたデータを統合して映像データや音声データに復元するものとし、
上記複数の記録手段にデータを記録する場合のデータの分配方法を、記録されるデータが映像データであるか音声データであるかに応じて切り替えるものとし、
上記映像データを記録する場合には、分配された映像データに基づいてエラー訂正符号を生成し、上記複数の記録手段に上記分配された映像データと上記エラー訂正符号を記録するものとし、
上記音声データを記録する場合には、上記複数の記録手段をミラー構成として上記音声データを分配して記録する
ことを特徴とするデータ記録再生方法。
【請求項２】
上記映像データおよび上記音声データは、１編集単位のデータが連続するように上記複数の記録手段に記録する
ことを特徴とする請求項１記載のデータ記録再生方法。
【請求項３】
映像データや音声データを記録する複数の記録手段と、
上記映像データや音声データを上記複数の記録手段に対して振り分けるデータ分配手段と、
上記複数の記録手段から読み出されたデータを統合して映像データや音声データに復元するデータ統合手段と、
上記記録手段と上記データ分配手段と上記データ統合手段を制御する制御手段とを有し、
上記制御手段では、上記複数の記録手段に記録されるデータが映像データであるか音声データであるかに応じて上記データ分配手段を制御して、データの分配方法を切り替えるものとして、上記映像データを上記複数の記録手段に記録する場合に、分配された映像データに基づいてエラー訂正符号を生成し、上記複数の記録手段に上記分配された映像データと上記エラー訂正符号を振り分けるものとし、上記音声データを上記複数の記録手段に記録する場合に、上記複数の記録手段をミラー構成として上記音声データを振り分ける
ことを特徴とするデータ記録再生装置。
【請求項４】
上記制御手段では、上記データ分配手段を制御して、上記映像データおよび音声データの１編集単位のデータが連続するように上記複数の記録手段に振り分ける
ことを特徴とする請求項３記載のデータ記録再生装置。
【発明の詳細な説明】
【０００１】
【発明の属する技術分野】
この発明は、データ記録再生方法およびデータ記録再生装置に関する。詳しくは、映像データや音声データを複数の記録手段に分配して記録すると共に、記録されたデータを再生する場合には複数の記録手段から読み出されたデータを統合して映像データや音声データに復元するデータ記録再生装置において、編集時の最小単位に基づいてデータを処理すると共に、複数の記録手段に記録されるデータが映像データであるか音声データであるかに応じてデータの分配方法を切り替えることにより、効率よくデータを記録できると共に信頼性を確保しながらチャネル毎に独立して編集を可能とするものである。
【０００２】
【従来の技術】
従来、例えばハード・ディスク・ドライブ（以下「ＨＤＤ」という）を並列に複数並べて、１つのディスク装置のように制御するディスク・アレイ（ＲＡＩＤ：Redundant Array of Independent Disks）を用いることにより、大容量・高転送レート化をはかると共に、冗長性を持たせることで、映像や音声データの記録再生の信頼性を確保したデータ記録再生装置が知られている。
【０００３】
ここで、映像や音声データのデータレートは、例えば３０Ｍb程度と高いために、これらのデータを高速に記録すると共に、記録されたデータから任意のデータを読み出すためには記録媒体へのアクセス時間を短くしなければならない。
【０００４】
また、多くの映像や音声データを用いて例えば番組の編集等を行う場合には、映像や音声データを記録する記録装置を複数接続する必要があり、装置の設置スペースが広くなると共に接続のためにインタフェースやケーブル等が増加してコストアップとなってしまう。さらに、音声データはチャネル毎に独立して編集できることが必要とされていることから、例えば図４に示すように、音声データを映像データと別個に記録すると共に、音声データはミラー構成のＨＤＤを用いるデータ記録再生装置が提案されている。
【０００５】
図４において、データ記録再生装置は複数のディスク・アレイで構成されており、これらのディスク・アレイは、映像データ記録用のディスク・アレイ１１と音声データ記録用のディスク・アレイ１６に区分されており、バス（例えばＳＣＳＩバスやＰＣＩバス等）２０でプロセッサ３０に接続されている。
【０００６】
プロセッサ３０には、映像データや音声データを編集するための編集装置４０が接続されており、プロセッサ３０では、ディスク・アレイ１１から供給された映像データやディスク・アレイ１６から供給された音声データが統合されて、所定のプロトコルで編集装置４０に供給される。編集装置４０では、このディスク・アレイ１１，１６から読み出された映像データや音声データを用いて編集が行われる。また、編集済みの映像データや音声データは、所定のプロトコルでプロセッサ３０に供給されて、プロセッサ３０で映像データと音声データに分離されてディスク・アレイ１１，１６に供給される。
【０００７】
映像データ記録用のディスク・アレイ１１は、例えば映像データを記録する７台のＨＤＤと７台のＨＤＤに記録されるデータから算出されたパリティを記録する１台のＨＤＤから成る。この８台のＨＤＤは、アレイコントローラ１２で制御される。また音声データ記録用のディスク・アレイ１６は、２台のＨＤＤを一つの組としてミラー構成とすると共にミラー構成のＨＤＤに一つのチャネルを割り当てて、８台のＨＤＤで４チャネルの音声データが記録される。この８台のＨＤＤは、アレイコントローラ１７で制御される。
【０００８】
映像データ記録用のディスク・アレイ１１では、図５に示すようにバス２０を介して供給される映像データのデータブロック「ＤＶ0」「ＤＶ1」・・・がアレイコントローラ１２でＨＤＤ１４-1〜１４-7に順次分配されて記録されると共に、ＨＤＤ１４-1〜１４-7に分配されたデータブロックに対するパリティが算出されてＨＤＤ１４-8に記録される。例えばデータブロック「ＤＶ0」はＨＤＤ１４-1に記録され、データブロック「ＤＶ1」はＨＤＤ１４-2に記録される。同様にして、データブロック「ＤＶ6」はＨＤＤ１４-7に記録されると共に、データブロック「ＤＶ0」〜「ＤＶ6」に基づいて算出されたパリティＰ0がＨＤＤ１４-8に記録される。また、映像データを読み出す場合にはＨＤＤ１４-1〜１４-7からデータブロックが読み出されると共にＨＤＤ１４-8からパリティが読み出される。この読み出されたデータブロックは、パリティを用いて誤り検出訂正処理が行われてからバス２０を介して出力される。
【０００９】
音声データ記録用のディスク・アレイ１６では、図６に示すようにバス２０を介して供給される音声データのデータブロック「ＤＡ0」「ＤＡ1」・・・がアレイコントローラ１７でチャネル毎にミラー構成とされた２つのＨＤＤに順次記録される。例えば第１のチャネルのデータブロック「ＤＡ0」は２つのＨＤＤ１９-1〜１９-2に記録され、第２のチャネルのデータブロック「ＤＡ1」はＨＤＤ１９-3〜１９-4に記録される。また、第３のチャネルのデータブロック「ＤＡ2」は２つのＨＤＤ１９-5〜１９-6に記録され、第４のチャネルのデータブロック「ＤＡ3」はＨＤＤ１９-7〜１９-8に記録される。以下同様にして順次音声データが記録される。また、音声データを読み出す場合には所望のチャネルの音声データが記録された２つのＨＤＤからデータブロックが読み出され、一方のＨＤＤから読み出されたデータブロックがバス２０を介して出力される。
【００１０】
このように、映像データと音声データが別個のディスク・アレイに記録されると共に、音声データはミラー構成とされたＨＤＤに記録されるので、音声データをチャネル毎に独立して容易に編集できると共に、信頼性も確保することができる。
【００１１】
【発明が解決しようとする課題】
ところで、このように、映像データと音声データを別個ディスク・アレイに記録するものでは、ディスク・アレイが複数必要とされるのでＨＤＤの数が多くなると共に、記録する映像データや音声データのデータ量が少ない場合には、それぞれＨＤＤの使用領域が小さいものとされて、ＨＤＤを効率良く利用することができない。
【００１２】
そこで、この発明では効率よく映像や音声データを記録できると共に、信頼性を確保しながらデータをチャネル毎に独立して編集することができるデータ記録再生方法およびデータ記録再生装置を提供するものである。
【００１３】
【課題を解決するための手段】
この発明に係るデータ記録再生方法は、映像データや音声データを記録する場合に、複数の記録手段に映像データや音声データを分配して記録すると共に、複数の記録手段に記録されたデータを再生する場合には、複数の記録手段から読み出されたデータを統合して映像データや音声データに復元するものとし、複数の記録手段にデータを記録する場合のデータの分配方法を、記録されるデータが映像データであるか音声データであるかに応じて切り替えるものとし、映像データを記録する場合には、分配された映像データに基づいてエラー訂正符号を生成し、複数の記録手段に分配された映像データとエラー訂正符号を記録するものとし、音声データを記録する場合には、複数の記録手段をミラー構成として音声データを分配して記録するものである。
【００１４】
また、データ記録再生装置は、映像データや音声データを記録する複数の記録手段と、映像データや音声データを複数の記録手段に対して振り分けるデータ分配手段と、複数の記録手段から読み出されたデータを統合して映像データや音声データに復元するデータ統合手段と、記録手段とデータ分配手段とデータ統合手段を制御する制御手段とを有し、制御手段では、複数の記録手段に記録されるデータが映像データであるか音声データであるかに応じてデータ分配手段を制御して、データの分配方法を切り替えるものとして、映像データを複数の記録手段に記録する場合に、分配された映像データに基づいてエラー訂正符号を生成し、複数の記録手段に分配された映像データとエラー訂正符号を振り分けるものとし、音声データを複数の記録手段に記録する場合に、複数の記録手段をミラー構成として音声データを振り分けるものである。
【００１５】
この発明においては、複数の記録手段に記録されるデータが映像データであるときには、映像データが分配されると共に、分配された映像データに基づいてエラー訂正符号が生成されて、複数の記録手段に分配された映像データとエラー訂正符号が記録される。また、記録されるデータが音声データであるときには、複数の記録手段がミラー構成とされて、音声データが例えばチャネル毎に分配して記録される。この複数の記録手段から映像データを読み出すときには、エラー訂正符号を用いて読み出された映像データの誤り検出訂正処理が行われた後、データが統合されて映像データとされる。また音声データを読み出すときには、ミラー構成とされた記録手段から読み出された各チャネルの音声データが統合されて複数チャネルの音声データとされる。さらに、映像データや音声データの記録では、編集時の最小単位、例えば１フレームの映像データや音声データが連続するように複数の記録手段に記録される。
【００１６】
【発明の実施の形態】
次に、図を使用してこの発明に係るデータ記録再生装置の実施の一形態について説明する。
【００１７】
図１はデータ記録再生装置の構成を示しており、映像データと音声データを記録するためのディスク・アレイ５１は、従来のデータ記録再生装置と同様に、バス（例えばＳＣＳＩバスやＰＣＩバス等）２０でプロセッサ３０に接続されている。プロセッサ３０には、映像や音声データを編集するための編集装置４０が接続されている。このプロセッサ３０では、ディスク・アレイ５１から供給された映像や音声データが統合されて、所定のプロトコルで編集装置４０に供給されて編集装置４０によって読み出された映像データや音声データを用いた編集が行われる。また、編集済みの映像や音声データは、所定のプロトコルでプロセッサ３０に供給される。プロセッサ３０では、映像データと音声データに分離されて、映像データや音声データのデータ量や記録位置等を示すコマンドが付加されてディスク・アレイ５１に供給される。このディスク・アレイ５１は、アレイコントローラ５２と複数のＨＤＤ、例えばＨＤＤ５４-1〜５４-8の８台のＨＤＤで構成される。
【００１８】
図２はアレイコントローラ５２の構成を示しており、バス２０に接続されるデータコントロール部５２１では、バス２０を介して供給されたデータからコマンドデータと映像や音声のデータが分離される。このコマンドデータＭＤはＣＰＵ(Central Processing Unit)５２２に供給されると共に、映像や音声のデータＤＴＷはデータ分配部５２３に供給される。なお、データコントロール部５２１からデータ分配部５２３に対してのデータＤＴＷの供給、および後述するデータ復元部５３７からデータコントロール部５２１に対してのデータＤＴＲの供給は、データコントロール部５２１とデータ分配部５２３間あるいはデータコントロール部５２１とデータ復元部５２７間での制御信号ＣＡの通信に基づいて行われる。
【００１９】
ＣＰＵ５２２では、コマンドデータＭＤに基づいて、映像や音声のデータＤＴＷのデータ量やＨＤＤ５４-1〜５４-8での書込位置および音声データのチャネル等が判別されて、制御信号ＣＢが生成される。この制御信号ＣＢはデータ判別信号生成部５２４に供給される。またＣＰＵ５２２では、ＨＤＤ５４-1〜５４-8にデータを記録するための書込信号ＣＣが生成されてＦＩＦＯ−ＳＰＣコントロール部５３３-1〜５３３-8とＳＣＳＩ(Small Computer System Interface)プロトコルコントローラ（以下「ＳＰＣ」という）５３４-1〜５３４-8に供給される。
【００２０】
データ判別処理部５２４では、制御信号ＣＢに基づいて判別信号ＣＶＡが生成される。この判別信号ＣＶＡは、データ分配部５２３に供給されるデータＤＴＷが映像データであるか音声データであるか、また音声データであるときにはいずれのチャネルの音声データであるかを示す信号であり、データ分配部５２３に供給される。なお、データ判別処理部５２４では、ＨＤＤ５４-1〜５４-8に記録されたデータを読み出す際にも、読み出されるデータが映像データであるか音声データであるかを示す判別信号ＣＶＡが生成されて後述するデータ補正部５３６およびデータ復元部５３７に供給される。
【００２１】
データ分配部５２３では、判別信号ＣＶＡに基づきデータＤＴＷが映像データであることが判別されたときには、データＤＴＷをＨＤＤ５４-1〜５４-7に分配して記録するためのデータ分配処理が行われる。また、分配された映像データに基づいてパリティが生成される。分配された映像データは、ＨＤＤ５４-1〜５４-7に対応して設けられた書込用ＦＩＦＯ(First In First Out)５３１-1〜５３１-7に供給されると共に、パリティはＨＤＤ５４-8に対応する書込用ＦＩＦＯ５３１-8に供給される。なお、書込用ＦＩＦＯ５３１-1〜５３１-7に対しての映像データの書き込み、および書込用ＦＩＦＯ５３１-8に対してのパリティの書き込みは、データ判別処理部５２４で生成されたＦＩＦＯ書込制御信号ＷＣに基づいて行われる。
【００２２】
また、データ分配部５２３では、データコントロール部５２１から供給されたデータＤＴＷが音声データであることが判別されたときには、ＨＤＤ５４-1〜５４-8に対応して設けられた書込用ＦＩＦＯ５３１-1〜５３１-8のうち、音声データのチャネルに応じた書込用ＦＩＦＯに音声データが供給される。ここで、ＨＤＤは２台を一つの組としてミラー構成とされており、１つのチャネルの音声データがミラー構成とされた２つのＨＤＤに記録されるように、この２つのＨＤＤに対応する書込用ＦＩＦＯに１つのチャネルの音声データが供給される。例えば第１のチャネルの音声データは書込用ＦＩＦＯ５３１-1，５３１-2に供給され、第２のチャネルの音声データは書込用ＦＩＦＯ５３１-3，５３１-4に供給される。なお、書込用ＦＩＦＯ５３１-1〜５３１-8に対しての音声データの書き込みもＦＩＦＯ書込制御信号ＷＣに基づいて行われる。
【００２３】
ＦＩＦＯ-ＳＰＣコントロール部５３３-1では、ＣＰＵ５２２からの書込信号ＣＣに基づいて制御信号ＫＡ，ＫＢが生成されて、この制御信号ＫＡ，ＫＢに基づいて、書込用ＦＩＦＯ５３１-1からＳＰＣ５３４-1にデータが転送される。
【００２４】
ＳＰＣ５３４-1では、書込信号ＣＣに基づきＨＤＤ５４-1の制御が行われて、書込用ＦＩＦＯ５３１-1から供給されたデータをコマンドデータＭＤで示された位置から順次書き込むための書き込み処理が行われる。
【００２５】
なお、ＦＩＦＯ-ＳＰＣコントロール部５３３-2〜５３３-8およびＳＰＣ５３４-2〜５３４-8もＦＩＦＯ-ＳＰＣコントロール部５３３-1およびＳＰＣ５３４-1と同様に制御される。
【００２６】
次に、映像データや音声データを読み出すためのコマンドがバス２０を介してアレイコントローラ５２に供給されたときには、このコマンドに基づいてＣＰＵ５２２から読出信号ＣＤがＦＩＦＯ-ＳＰＣコントロール部５３３-1〜５３３-8およびＳＰＣ５３４-1〜５３４-8に供給される。
【００２７】
ＳＰＣ５３４-1では、読出信号ＣＤに基づきＨＤＤ５４-1の制御が行われて、コマンドで示された位置から順次記録されたデータが読み出される。また、ＦＩＦＯ-ＳＰＣコントロール部５３３-1では、読出信号ＣＤに基づいて制御信号ＫＢ，ＫＣが生成され、この制御信号ＫＢ，ＫＣによって、ＨＤＤ５４-1から読み出されたデータがＳＰＣ５３４-1から読出用ＦＩＦＯ５３２-1に転送される。
【００２８】
なお、ＦＩＦＯ-ＳＰＣコントロール部５３３-2〜５３３-8およびＳＰＣ５３４-2〜５３４-8もＦＩＦＯ-ＳＰＣコントロール部５３３-1およびＳＰＣ５３４-1と同様である。
【００２９】
読出用ＦＩＦＯ５３２-1〜５３２-8に転送されたデータは、データ判別処理部５２４からのＦＩＦＯ読出制御信号ＲＣに基づいて読み出されてデータ補正部５３６に供給される。
【００３０】
データ補正部５３６には、読み出されたデータが映像データであるか音声データであるかを示す判別信号ＣＶＡがデータ判別処理部５２４から供給されており、データが映像データであるときには、ＨＤＤ５４-8から読み出されたパリティを用いてＨＤＤ５４-1〜５４-7から読み出されたデータの誤り検出訂正処理が行われる。この誤り検出訂正処理あ行われたデータはデータ復元部５３７に供給される。また、データが音声データであるときには、ミラー構成とされたＨＤＤの一方から読み出されたデータがデータ復元部５３７に供給される。
【００３１】
なお、ＨＤＤでデータを読み出すことができないときには、ＨＤＤからＳＰＣを介してＣＰＵ５２２に異常の発生を示す信号が供給されるように成されているので、ＣＰＵ５２２では、この異常の発生を示す信号に基づきミラー構成とされたＨＤＤから正しいデータを得るための選択信号ＥＣが生成されてデータ補正部５３６に供給される。このため、データ補正部５３６では、選択信号ＥＣに基づいてミラー構成とされたＨＤＤから正しく音声データを得ることができる。
【００３２】
データ復元部５３７では、データ判別処理部５２４からの判別信号ＣＶＡに基づき、供給されたデータが映像データであるときにはデータ分配部５２３で分配される前の順序にデータが並べ替えられる。また音声データであるときにはデータの並べ替えが行われないものとされる。このデータ復元部５３７を介して得られたデータは、映像や音声のデータＤＴＲとしてデータコントロール部５２１を介してバス２０に出力される。
【００３３】
このように構成されたデータ記録再生装置で映像データや音声データを記録する場合には、バス２０を介して供給されるデータが、図３に示すように映像データのデータブロック「ＤＶ0」「ＤＶ1」・・・であるときには、データ分配部５２３でデータブロックが分配されると共に分配されたデータブロックに対するパリティが算出されて、映像データのデータブロックは順次ＨＤＤ５４-1〜５４-7に記録されると共に、パリティはＨＤＤ５４-8に記録される。例えばデータブロック「ＤＶ0」はＨＤＤ５４-1に記録され、データブロック「ＤＶ1」はＨＤＤ５４-2に記録される。同様にして、データブロック「ＤＶ6」はＨＤＤ５４-7に記録されると共に、データブロック「ＤＶ0」〜「ＤＶ6」に基づいて算出されたパリティ「Ｐ0」がＨＤＤ５４-8に記録される。
【００３４】
映像データを読み出す場合には、ＨＤＤ５４-1〜５４-7からデータブロックが読み出されると共にパリティもＨＤＤ５４-8から読み出されて、データ補正部５３６でＨＤＤ５４-1〜５４-7から読み出されたデータブロックの誤り検出訂正が行われる。この誤り検出訂正処理が行われた映像データがデータ復元部５３７に供給されて分配される前の状態に並べ替えられてバス２０を介して出力される。
【００３５】
また、バス２０を介して供給されるデータが音声データであるときには、データ分配部５２３では、音声データのデータブロック「ＤＡ0」「ＤＡ1」・・・がチャネル毎にミラー構成とされた２つのＨＤＤに供給されるよう音声データのデータブロックの分配が行われる。例えば第１のチャネルのデータブロック「ＤＡ0」は２つのＨＤＤ５４-1〜５４-2に供給される。このＨＤＤ５４-1〜５４-2では、音声データが映像データの記録された領域ａvとは異なる領域ａaに記録される。同様に、第２のチャネルのデータブロック「ＤＡ1」はＨＤＤ５４-3〜５４-4の映像データが記録された領域とは異なる領域に記録され、第３のチャネルのデータブロック「ＤＡ2」および第４のチャネルのデータブロック「ＤＡ3」もＨＤＤ５４-5〜５４-6，５４-7〜５４-8に記録される。以下同様に順次音声データがＨＤＤ５４-1〜５４-8に記録される。
【００３６】
音声データを読み出す場合には、所望のチャネルの音声データが記録された２つのＨＤＤからデータブロックが読み出されてデータ補正部５３６に供給される。データ補正部５３６は、正しく読み出されたデータが選択されてデータ復元部５３７に供給される。データ復元部５３７では、供給されたデータが音声データであることから、映像データの場合のようにデータの復元処理が行われることなくバス２０を介して出力される。
【００３７】
このように上述の実施の形態によれば、記録されるデータが映像データか音声データに応じてデータの分配方法が切り替えられると共に、記録されるデータが映像データのときには分配された映像データとエラー訂正符号が記録され、音声データのときには複数の記録手段がミラー構成とされて音声データの記録が行われるので、高転送レートで信頼性を確保しながらデータの記録や再生を行うことができると共に、ＨＤＤに効率よくデータを記録することができる。また、音声データはチャネル毎に記録されているので独立して容易に編集作業を行うことができる。
【００３８】
なお、上述の実施の形態では、ＨＤＤ５４-1〜５４-8の記録領域を予め映像データ用領域ａvと音声データ用領域ａaに分けて、それぞれの領域に順次映像データや音声データ等を記録するものとしたが、ＨＤＤ５４-1〜５４-8に分配された映像データや音声データを順次記録するものとしてもよい。この場合には、未記録領域が映像データ用領域と音声データ用領域に分散されないので、データを映像データ用領域と音声データ用領域に分けて記録する場合よりも更に効率良く映像データや音声データを記録することができる。
【００３９】
また、上述の実施の形態では、１つのチャネルの音声データをミラー構成とされた２つのＨＤＤに記録するものとしたが、音声データのチャネル数が少ない場合には、１つのチャネルの音声データを複数組のミラー構成とされたＨＤＤに分配して記録することにより、音声データのチャネル数が少ない場合でも効率よく音声データを記録できる。
【００４０】
さらに、映像データや音声データの記録は１編集単位、例えば１フレームの映像データや１フレーム期間の音声データが連続する様に記録するものとすれば、ＨＤＤから映像データや音声データを読み出して編集処理を行う場合に、データが１編集単位で連続しているのでデータの読出や編集後のデータの記録および編集作業を容易に行うことができる。
【００４１】
また、プロセッサ３０とディスク・アレイ５１を接続するバス２０として、ＰＣＩ(Peripheral Component Interconnect)バスを用いるものとすれば、データの転送を高速に行うことができると共に、汎用性も高められる。
【００４２】
なお、記録手段はＨＤＤに限られるものではなく、例えば光ディスク装置等を用いるものとしてもよいことは勿論である。
【００４３】
【発明の効果】
この発明によれば、複数の記録手段にデータを記録する場合に、記録するデータが映像データか音声データであるかに応じてデータの分配方法が切り替えられる。また、映像データが記録されるときには、映像データが分配されると共にエラー訂正符号が生成されて複数の記録手段に記録されると共に、音声データが記録されるときには、複数の記録手段がミラー構成とされて音声データが分配して記録される。このように、記録されるデータに適する冗長の持たせ方でデータが記録されるので、効率よくデータを複数の記録手段に記録できると共に、高転送レートで信頼性を確保しながらデータの記録や再生を行うことができる。
【００４４】
また、映像データや音声データは、編集単位に基づいて複数の記録手段に記録されるので、複数の記録手段に記録されたデータを読み出して編集処理を行う場合に、チャネル毎に独立して効率良く編集処理を行うことができる。
【図面の簡単な説明】
【図１】この発明に係るデータ記録再生装置の構成を示す図である。
【図２】アレイコントローラの構成を示す図である。
【図３】この発明に係るデータ記録再生装置の動作を説明するための図である。
【図４】従来のデータ記録再生装置の構成を示す図である。
【図５】従来の映像データ記録用ディスク・アレイの動作を説明するための図である。
【図６】従来の音声データ記録用ディスク・アレイの動作を説明するための図である。
【符号の説明】
１１，１６，５１・・・ディスク・アレイ、１２，１７，５２・・・アレイコントローラ、１４-1〜１４-8，１９-1〜１９-8，５４-1〜５４-8・・・ＨＤＤ、２０・・・バス、３０・・・プロセッサ、４０・・・編集装置、５２２・・・ＣＰＵ、５２３・・・データ分配部、５３６・・・データ補正部、５３７・・・データ復元部
【図１】
0003855379.tif 000002
【図２】
0003855379.tif 000003
【図３】
0003855379.tif 000004
【図４】
0003855379.tif 000005
【図５】
0003855379.tif 000006
【図６】
0003855379.tif 000007